【手続補正書】
【提出日】平成16年12月8日(2004.12.8)
【手続補正１】
【補正対象書類名】特許請求の範囲
【補正対象項目名】全文
【補正方法】変更
【補正の内容】
【特許請求の範囲】
【請求項１】
情報ビットストリームを受信し、所定の符号化率によって情報シーケンスを符号化することによって、前記情報ビットストリームと少なくとも１種類のパリティストリームとを出力する符号化器と、
符号化されたストリームに補充ビットを挿入するラジオフレーム等化器と、
前記ラジオフレーム等化器からの出力を伝送時間間隔（ＴＴＩ）でインターリービングするインターリーバと、
前記インターリーバからの出力を受信し、該出力を少なくとも１つの連続的なラジオフレーム上にマッピングし、前記ラジオフレームを順次出力するラジオフレーム分割器と、
前記ラジオフレームを前記情報ビットストリームと少なくとも１種類のパリティストリームとに分離するビット分離器と、
所定の伝送率整合規則によって、前記情報ビットストリームをバイパスし、少なくとも１種類のパリティストリームの一部を穿孔する伝送率整合器と
からなり、
前記ラジオフレーム等化器は、前記ラジオフレーム分割器から出力される前記ラジオフレームのサイズが同一であることを確実にするために、前記符号化されたストリームに補充ビットを挿入することを特徴とする移動通信システムにおける送信装置。
【請求項２】
前記インターリーバは、列間置き換えを伴うブロックインターリーバである請求項１記載の送信装置。
【請求項３】
インターリーバ行列がＲ＊Ｃである請求項１記載の送信装置。
【請求項４】
ＣはＴＴＩ／１０ｍｓの結果であり、ＲはＫ／Ｃの結果であり、Ｒは行の個数であり、Ｃは列の個数であり、Ｋは符号化されたストリームのシンボル個数である請求項３記載の送信装置。
【請求項５】
前記補充ビットの個数はＲ＊Ｃ−Ｋであり、Ｒは行の個数であり、Ｃは列の個数であり、Ｋは前記符号化されたストリームのシンボル個数である請求項１記載の送信装置。
【請求項６】
前記補充ビットは、前記列間置き換え前に前記インターリーバ行列において空である位置に挿入される請求項１記載の送信装置。
【請求項７】
伝送時間間隔（ＴＴＩ）が１０ｍｓより長いとき、前記ラジオフレーム分割器は、前記情報ビットストリームを、連続的なラジオフレーム上にマッピングする請求項１記載の送信装置。
【請求項８】
前記ラジオフレーム分割器は、インターリーバ行列の各列を、前記列間置き換え後に、各ラジオフレームとして出力する請求項７記載の送信装置。
【請求項９】
情報ビットストリームを受信し、所定の符号化率によって情報シーケンスを符号化することによって、前記情報ビットストリームと少なくとも１種類のパリティストリームとを出力する符号化過程と、
符号化されたストリームに補充ビットを挿入するラジオフレーム等化過程と、
同一にされたストリームを受信し、該同一にされたストリームを伝送時間間隔（ＴＴＩ）でインターリービングするインターリービング過程と、
前記インターリービングされたストリームを受信し、該インターリービングされたストリームを少なくとも１つの連続的なラジオフレーム上にマッピングし、前記ラジオフレームを順次出力するラジオフレーム分割過程と、
前記ラジオフレームを前記情報ビットストリームと少なくとも１種類のパリティストリームとに分離するビット分離過程と、
所定の伝送率整合規則によって、前記情報ビットストリームをバイパスし、少なくとも１種類のパリティストリームの一部を穿孔する伝送率整合過程と
からなり、
前記ラジオフレーム等化過程は、前記ラジオフレームのサイズが同一であることを確実にするために、符号化されたストリームに補充ビットを挿入する移動通信システムにおける送信方法。
【請求項１０】
前記インターリービング過程は列間置き換えである請求項９記載の方法。
【請求項１１】
インターリービングサイズがＲ＊Ｃである請求項９記載の方法。
【請求項１２】
ＣはＴＴＩ／１０ｍｓの結果であり、ＲはＫ／Ｃの結果であり、Ｒは行の個数であり、Ｃは列の個数であり、Ｋは前記符号化されたストリームのシンボル個数である請求項１１記載の方法。
【請求項１３】
前記補充ビットの個数はＲ＊Ｃ−Ｋであり、Ｒは行の個数であり、Ｃは列の個数であり、Ｋは前記符号化されたストリームのシンボル個数である請求項９記載の方法。
【請求項１４】
前記補充ビットは、前記列間置き換え前にインターリーバ行列において空である位置に挿入される請求項９記載の方法。
【請求項１５】
伝送時間間隔（ＴＴＩ）が１０ｍｓより長いとき、前記情報ビットストリームは、連続的なラジオフレーム上にマッピングされる請求項９記載の方法。
【請求項１６】
前記インターリーバ行列の各列は、前記列間置き換え後に、各ラジオフレームとして出力される請求項１５記載の方法。
【請求項１７】
情報ビットストリームを受信し、所定の符号化率によって前記情報ビットストリームと少なくとも１種類のパリティストリームとを出力する符号化器と、
前記符号化されたストリームを、前記情報ビットストリームと少なくとも１種類のパリティストリームとに分離するビット分離器と、
前記情報ビットストリームと少なくとも１種類のパリティストリームとを受信し、所定の伝送率整合規則によって、前記情報ビットストリームをバイパスし、少なくとも１種類のパリティストリームの一部を穿孔する伝送率整合器と
からなり、
前記伝送率整合器は、パリティストリームの一部を伝送率整合する少なくとも１つの構成伝送率整合器を有し、前記構成伝送率整合器の個数は、前記パリティストリームの個数と一致する移動通信システムにおける送信装置。
【請求項１８】
前記符号化されたストリームの前記シンボルは、該符号化されたストリーム内の情報シンボルとパリティシンボルとの配列に対する規則的なパターンによって各々の種類のパリティストリームに対応する構成伝送率整合器に分離される請求項１７記載の送信装置。
【請求項１９】
前記規則的なパターンは、前記符号化されたストリーム内の情報シンボルとパリティシンボルとの配列に関連する請求項１８記載の送信装置。
【請求項２０】
前記規則的なパターンは、ＴＴＩ（伝送時間間隔）によって決定される請求項１８記載の送信装置。
【請求項２１】
前記規則的なパターンは、補充ビットの総数によって決定される請求項１８記載の送信装置。
【請求項２２】
前記規則的なパターンは、前記所定の符号化率によって決定される請求項１８記載の送信装置。
【請求項２３】
各構成伝送率整合器によって伝送率整合されたストリームを集めるビットコレクタを更に備える請求項１７記載の送信装置。
【請求項２４】
情報ビットストリームを受信し、所定の符号化率によって前記情報ビットストリームと少なくとも１種類のパリティストリームとを出力する符号化過程と、
符号化されたストリームを、前記情報ビットストリームと少なくとも１種類のパリティストリームとに分離するビット分離過程と、
前記情報ビットストリームと少なくとも１種類のパリティストリームとを受信し、所定の伝送率整合規則によって、前記情報ビットストリームをバイパスし、少なくとも１種類のパリティストリームの一部を穿孔する伝送率整合過程と
からなり、
前記伝送率整合過程は、各パリティストリームに対応する各構成伝送率整合器によって実行される移動通信システムにおける送信方法。
【請求項２５】
前記符号化されたストリームの前記シンボルは、該符号化されたストリーム内の情報シンボルとパリティシンボルとの配列に対する規則的なパターンによって各々の種類のパリティストリームに対応する構成伝送率整合器に分離される請求項２４記載の方法。
【請求項２６】
前記規則的なパターンは、前記符号化されたストリーム内の情報シンボルとパリティシンボルとの配列に関連する請求項２５記載の方法。
【請求項２７】
前記規則的なパターンは、ＴＴＩ（伝送時間間隔）によって決定される請求項２５記載の方法。
【請求項２８】
前記規則的なパターンは、補充ビットの総数によって決定される請求項２５記載の方法。
【請求項２９】
前記規則的なパターンは、前記所定の符号化率によって決定される請求項２５記載の方法。
【請求項３０】
各構成伝送率整合器によって伝送率整合されたストリームを集めるビットコレクタを更に備える請求項２４記載の方法。
【請求項３１】
情報ビットストリームを受信し、かつ、情報ビットストリームを符号化することによって３つの符号化器出力ストリーム、則ち、情報ビットストリームと第１パリティストリームと第２パリティストリームとを出力する符号化器と、
符号化器に結合され、予め決定されたインターリービング規則に従ってインターリービング動作を実行するインターリーバと、
インターリービングされたストリームをインターリーバから受信し、かつ、インターリービングされたストリームを少なくとも１つのラジオフレーム上にマッピングするラジオフレーム分割器と、
ラジオフレーム分割器から受信された少なくとも１つのラジオフレームを３つの逆多重化器出力ストリームに分離する逆多重化器と、
逆多重化器からの情報ビットストリームをバイパスし、かつ、逆多重化器からの第１および第２パリティストリームの一部を所与の伝送率整合規則に従って穿孔する伝送率整合器と
を具備する
ことを特徴とする移動通信システム。
【請求項３２】
伝送時間間隔（ＴＴＩ）が１０ｍｓより長いとき、インターリービングされたストリームは、連続的なラジオフレーム上にマッピングされる
ことを特徴とする請求項３１記載のシステム。
【請求項３３】
インターリーバは、ラジオフレームのサイズを均一にするために、符号化器の出力に補充ビットを挿入した後、ＴＴＩ（伝送時間間隔）でインターリービング動作を実行する
ことを特徴とする請求項３１記載のシステム。
【請求項３４】
伝送率整合器は、
逆多重化器からの情報ビットストリームを伝送率整合する第１構成伝送率整合器と、
逆多重化器からの第１パリティストリームを伝送率整合する第２構成伝送率整合器と、
逆多重化器からの第２パリティストリームを伝送率整合する第３構成伝送率整合器と
を具備する
ことを特徴とする請求項３１記載のシステム。
【請求項３５】
移動通信システムにおいてデータを伝送する方法において、
符号化器の符号化率に対応する情報ビットストリームを符号化し、かつ、情報ビットストリームと第１パリティストリームと第２パリティストリームとを出力することと、
符号化器に結合されたインターリーバを伴ってインターリービング動作を実行することと、
インターリーバからのインターリービングされたストリームを少なくとも１つのラジオフレーム上にマッピングし、かつ、少なくとも１つのラジオフレームを出力することと、
逆多重化器を伴って逆多重化動作を実行し、かつ、逆多重化器の情報ビットストリームと逆多重化器の第１パリティストリームと逆多重化器の第２パリティストリームとを出力することと、
逆多重化器の情報ビットストリームをバイパスし、かつ、逆多重化器からの第１および第２パリティストリームの一部を所与の伝送率整合規則に従って穿孔することと
を具備する
ことを特徴とする方法。
【請求項３６】
伝送時間間隔（ＴＴＩ）が１０ｍｓより長いとき、インターリービングされたストリームは、連続的なラジオフレーム上にマッピングされる
ことを特徴とする請求項３５記載の方法。
【請求項３７】
インターリービング動作は、ラジオフレームのサイズを均一にするために、符号化器の出力に補充ビットを挿入した後、ＴＴＩ（伝送時間間隔）で実行される
ことを特徴とする請求項３５記載の方法。
【請求項３８】
情報ビットストリームを受信し、かつ、情報ビットストリームを符号化することによって情報ビットストリームと第１パリティストリームと第２パリティストリームとを具備する出力ストリームを出力する手段と、
出力ストリームに応答してインターリービング動作を実行し、かつ、インターリービングされたストリームを出力する手段と、
インターリービングされたストリームに応答して少なくとも１つのラジオフレームを生成する手段と、
少なくとも１つのラジオフレームを、分離情報ビットストリームと第１分離パリティストリームと第２分離パリティストリームとに分離する手段と、
分離情報ビットストリームをバイパスし、かつ、第１および第２分離パリティストリームの一部を所与の伝送率整合規則に従って穿孔する手段と
を具備する
ことを特徴とする移動通信システム。
【請求項３９】
伝送時間間隔（ＴＴＩ）が１０ｍｓより長いとき、インターリービングされたストリームは、連続的なラジオフレーム上にマッピングされる
ことを特徴とする請求項３８記載のシステム。
【請求項４０】
インターリービング動作は、ラジオフレームのサイズを均一にするために、出力ストリームに補充ビットを挿入した後、ＴＴＩ（伝送時間間隔）で実行される
ことを特徴とする請求項３８記載のシステム。